(57)【特許請求の範囲】
【請求項１】
記録紙を所定間隔毎に副走査方向に搬送する記録紙送り手段と、
上記記録紙に転写される染料が添付され、上記記録紙と共に副走査方向に搬送されるインクリボンと、
上記副走査方向と直交する主走査方向に複数の発熱素子が配置され、上記発熱素子を上記インクリボンに押し付けることにより、上記記録紙に熱転写により印画を行う記録手段と、
上記記録手段の各発熱素子への通電を制御することにより、各色に応じて上記記録紙に印画されるドットの大きさを変化させて濃度階調を変化させる階調制御手段とを備え、
上記階調制御手段による階調データを制御して上記記録紙に印画される黒のドット密度を他の色のドット密度の２倍以上にするとともに黒のドットの大きさを他の色のドットの大きさの２分の１以下にし、印画データに基づいて黒と他の色の重ね印画を行うようにしたことを特徴とする熱転写型記録装置。
【請求項２】
請求項第１項記載の熱転写型記録装置において、
上記階調制御手段により黒のドットの階調データを分割制御して、上記記録紙に印画される黒のドット密度を他の色のドット密度の２倍以上にするようにしたことを特徴とする熱転写型記録装置。
【請求項３】
請求項第１項記載の熱転写型記録装置において、
上記階調制御手段により、黒のドットの濃度階調の変化する方向を上記主走査方向の１ドット毎に反転させると共に、他の色のドットの濃度階調の変化する方向を上記主走査方向の１ドット毎に反転させ、かつ、上記副走査方向の１ライン毎に反転させるようにして、上記記録紙に印画される黒のドット密度を他の色のドット密度の２倍以上にするようにしたことを特徴とする熱転写型記録装置。
【請求項４】
請求項第１項記載の熱転写型記録装置において、
上記階調制御手段により黒のドットの階調データを分割制御すると共に、他の色のドットの濃度階調の変化する方向を上記主走査方向の１ドット毎に反転させ、かつ、上記副走査方向の１ライン毎に反転させるようにして、上記記録紙に印画される黒のドット密度を他の色のドット密度の２倍以上にするようにしたことを特徴とする熱転写型記録装置。
【請求項５】
請求項第１項記載の熱転写型記録装置において、
上記階調制御手段により、上記主走査方向２ドットと上記副走査方向２ドットからなる４ドットを１単位として、上記４ドットのうちの各色の印画位置以外は印画データを出力しないようにし、上記４ドットのうちの各ドットにそれぞれ異なる色のドットを配置するように印画データを出力し、
上記印画データの複数の各色に応じて最大ドット径を１ラインピッチ以上とするように上記記録手段の上記発熱抵抗素子の通電時間を切り換えることにより、上記記録紙に印画される黒のドット密度を他の色のドット密度の２倍以上にするようにしたことを特徴とする熱転写型記録装置。
【発明の詳細な説明】
【０００１】
【発明の属する技術分野】
この発明は、例えば、サーマルヘッドを用いて記録紙に画像を印画する熱転写型記録装置に関する。
【０００２】
【従来の技術】
従来、テレビ受像機に映し出された静止画像や、スチルカメラで撮影した被写体画像を記録紙に印画してハードコピーを得るビデオプリンタがあった。このビデオプリンタの特徴は、記録画像が自然画であることから、アナログ的な階調を表現することにある。
【０００３】
このようなビデオプリンタとして、サーマルヘッドを用いて記録紙に画像を印画する熱転写型記録装置があった。熱転写型記録装置は、面積階調法により複数のドットの集合で階調を表すようにする。つまり、ドット密度を高くすることによって再現する階調数を大きくして、空間解像度を高くして、自然画に近い画像を再現するようにする。
【０００４】
図１３に、熱転写型記録装置の記録機構を示す。まず、この記録機構の構成を説明する。図１３において、この記録機構は、回転駆動される円筒形のプラテンローラ１３０と、プラテンローラ１３０により紙送りされる感熱紙からなる記録紙１３１と、リール１３２、１３３と、リール１３２、１３３に巻かれたインクリボン１３４と、画像データが供給されるサーマルヘッド１３５と、サーマルヘッド１３５上にプラテンローラ１３０の回転軸方向に１列に設けられ、１ライン毎に発熱する発熱素子１３６とを有する。
【０００５】
次に、このように構成された記録機構の動作を説明する。プラテンローラ１３０は図示しない駆動手段により所定のタイミングで矢印方向に間欠的に回転駆動される。記録紙１３１は図示しない支持手段によりプラテンローラ１３０の周面に巻き付くように支持されている。プラテンローラ１３０の回転駆動により、プラテンローラ１３０に巻かれている記録紙１３１がプラテンローラ１３０の回転方向と同じ方向に送られる。この記録紙１３１の送り方向を副走査方向という。
【０００６】
また、リール１３２、１３３は図示しない駆動手段により回転される。リール１３２、１３３の回転によりリール１３２、１３３に巻かれたインクリボン１３４が所定方向に送られる。サーマルヘッド１３５は図示しない支持手段により発熱素子１３６を、インクリボン１３４および記録紙１３１を挟むようにして、プラテンローラ１３０に押し付けるように支持される。
【０００７】
発熱素子１３６が発熱されると、発熱エネルギーに比例してインクリボン１３４に付着された染料としての溶融インクが記録紙１３１のインクリボン１３４側の面に転写される。この１ライン毎の印画を１フレーム分繰り返して１枚の画像の印画を終了する。
【０００８】
ここで、サーマルヘッド１３５の発熱素子１３６の個数、すなわち１ライン上のドット密度は、例えば、３００ＤＰＩ（Ｄｏｔｓ  Ｐｅｒ  Ｉｎｃｈ）で、１ライン当たり約２５６０ドット設けられている。このため、２５６０ドット／３００ＤＰＩで８．５３インチ（２１６ミリメートル）にわたって発熱素子１３６が１列に配置されている。この発熱素子１３６の列方向を主走査方向という。
【０００９】
図１４に、従来の熱転写型記録装置の構成を示すブロック図を示す。まず、このブロック図の構成を説明する。この熱転写型記録装置は、フレームメモリ１４０と、ラインメモリ１４１と、メモリコントローラ１４３と、ラインメモリコントローラ１４４と、階調データ比較手段１４２と、階調カウンタ１４５と、ＣＰＵ１４６と、駆動手段１４７と、プラテンローラ１４８と、サーマルヘッド１４９とを有する。ここで、フレームメモリ１４０と、ラインメモリ１４１と、メモリコントローラ１４３と、ラインメモリコントローラ１４４と、階調データ比較手段１４２と、階調カウンタ１４５と、ＣＰＵ１４６と、サーマルヘッド１４９とで階調制御手段を構成する。また、ＣＰＵ１４６は制御手段、駆動手段１４７とプラテンローラ１４８とで記録紙送り手段を構成する。
【００１０】
次に接続関係を説明する。まず、階調制御手段の接続関係を説明する。ＣＰＵ１４６は、メモリコントローラ１４３に接続される。メモリコントローラ１４３は、フレームメモリ１４０に接続されると共に、ラインメモリコントローラ１４４に接続される。フレームメモリ１４０はラインメモリ１４１に接続される。ラインメモリコントローラ１４４はラインメモリ１４１に接続される。ラインメモリ１４１は階調データ比較手段１４２に接続される。ラインメモリコントローラ１４４は階調カウンタ１４５に接続される。階調カウンタ１４５は階調データ比較手段１４２に接続される。階調データ比較手段１４２はサーマルヘッド１４９に接続される。次に、記録紙送り制御手段の接続関係を説明する。ＣＰＵ１４６は、駆動手段１４７と接続される。駆動手段１４７は、プラテンローラ１４８と接続される。
【００１１】
このように構成された従来の熱転写型記録装置の動作を説明する。まず、ビデオ信号の１画面分の画像情報としてのデータを図示しないデータ供給源から一旦フレームメモリ１４０に蓄積する。次に、転写する１ライン分の画像データをラインメモリ１４１に書き込む。ラインメモリ１４１から読み出される１ライン分のデータは、階調データ比較手段１４２に供給される。階調データ比較手段１４２は、すべての画素１つ１つをエネルギー的に制御して濃淡を決定する。この濃淡はサーマルヘッド１４９の例えば２５６０個の発熱素子毎に決定される。濃淡のデータはサーマルヘッド１４９に供給される。サーマルヘッド１４９は図１３に示した記録機構により記録紙１３１に印画する。１ライン分の印画が行われるのと同時に、駆動手段１４７はプラテンローラ１４８を回転させて、記録紙１３１を１ライン分紙送りさせている。このようにして各ライン毎の印画を１画面分繰り返して１画面分の印画を行う。
【００１２】
ここで、階調データ比較手段１４２は、各画素の濃淡の決定をＰＷＭ変調により行う。階調データ比較手段１４２は、図示しない比較器を有する。この比較器は、階調カウンタ１４５からのデータとラインメモリ１４１からのデータとを比較する。２５６階調の場合は、０〜２５５までの順次インクリメントされたデータが階調データ比較手段１４２に供給される。ラインメモリ１４１には、２５６０個の１ライン分の各画像データが８ビットで格納されている。
【００１３】
ラインメモリ１４１からは２５６個の画像データが階調データ比較手段１４２に供給される。階調カウンタ１４５からは０〜２５５までのカウント値が階調データ比較手段１４２に供給される。階調データ比較手段１４２は両データの大きさを比較して、この比較結果に基づいてサーマルヘッド１４９の発熱素子への通電または非通電の制御を行う。つまり、階調カウンタ１４５の値よりもラインメモリ１４１から読みだした画像データが大きければ、サーマルヘッド１４９にハイレベルのデータが供給される。サーマルヘッド１４９はハイレベルのデータが供給されると発熱素子に通電する。
【００１４】
サーマルヘッド１４９は、内部に１列に２５６０個のシフトレジスタとラッチ回路を有している。１列分のデータはシフトレジスタに記憶される。シフトレジスタからのデータはラッチ回路に保持され、このデータに基づいて発熱素子が通電制御される。
【００１５】
すなわち、階調データ比較手段１４２は、階調カウンタ１４５の値が「０」の状態で、ラインメモリ１４１からのデータと比較する。次に、階調カウンタ１４５の値をインクリメントして、２５６０のラインデータと各々比較する。順次、階調カウンタ１４５の値をインクリメントして２５６の階調にわたって繰り返す。階調データ比較手段１４２は、ラインメモリ１４１からのデータの値により、濃度が濃いときは階調カウンタ１４５の値「０」〜「２５５」の最初からすべてについて、サーマルヘッド１４９の発熱素子に通電させるようにし、濃度が薄いときは階調カウンタ１４５の値「０」〜「中間値」までの部分のみ、サーマルヘッド１４９の発熱素子に通電させるようにする。
【００１６】
このような、従来の熱転写型記録装置では、記録ドットの大きさを変化させて階調表現する場合、インクリボン１３４の色をＹ（イエロー）、Ｍ（マゼンタ）、Ｃ（シアン）、Ｋ（黒）の４色を用いて、画像サイズＡ３、解像度３００［ＤＰＩ］で印画を行う際の１ドットの大きさは８５［μｍ］である。
【００１７】
ところが、プラテンローラ１３０による記録紙送りピッチや、記録紙１３１やインクリボン１３４のテンションの相違などの環境条件により、ドットのズレが生じることがあった。このとき、ＹＭＣＫの４色印画で、各色のドットサイズを同じように印画すると、黒に透過性がないため、各色のドットのズレを画像サイズＡ３の紙送り方向の先端部分から終端部分までの間で数１０［μｍ］以下に抑えるようにしなければ、ドットズレによるモアレ縞が発生する。このモアレ縞が発生すると、例えば、グレー一面で印画したい場合であっても、モアレ縞による模様が発生してしまっていた。
【００１８】
図１５は従来の熱転写型記録装置のドットずれを示す側面図である。図１５において、記録紙１５０上に、１ドットピッチ１５１内の先頭部分から印画されたＭの印画１５２ａに対して、Ｃの印画１５３ａがドットずれして印画されている。同様に、Ｍの印画１５２ｂに対して、Ｃの印画１５３ｂがドットずれして印画されている。また、Ｍの印画１５２ｃに対して、Ｃの印画１５３ｃがドットずれして印画されている。
【００１９】
図１６は従来の熱転写型記録装置のドットずれによる色相変化を示す側面図である。図１６Ａは黒の印画１６３ａ、１６３ｂ、１６３ｃがＭの印画１６１ａ、１６１ｂ、１６１ｃとまったく同じ位置になる場合を示す。図１６Ａにおいて、記録紙１６０上に、最初にＭの印画１６１ａが行わる。次に、その上にＣの印画１６２ａがドットずれして行われる。さらに、その上に黒の印画１６３ａが行われる。このように黒の印画１６３ａがＭの印画１６１ａとまったく同じ位置になるとき、黒の印画１６３ａのドットの位置では黒は透過性がないので下のＣの印画１６２ａおよびＭの印画１６１ａは見えない。しかし、ドットずれしたＣの印画１６２ａがＣの色相１６４ａとして現れる。従って、Ｃの印画１６２ａがドットずれした場合にはＭの色相がまったく現れず、ドットずれしない場合に比べて色相の変化が現れる。
また、Ｍの印画１６１ｂ、ドットずれしたＣの印画１６２ｂ、黒の印画１６３ｂの場合も同様に、Ｃの色相１６４ｂが現れる。また、Ｍの印画１６１ｃ、ドットずれしたＣの印画１６２ｃ、黒の印画１６３ｃの場合も同様に、Ｃの色相１６４ｃが現れる。
【００２０】
また、図１６Ｂは黒の印画１６７ａ、１６７ｂ、１６７ｃがＣの印画１６６ａ、１６６ｂ、１６６ｃとまったく同じ位置になる場合を示す。図１６Ｂにおいて、記録紙１６０上に、最初にＭの印画１６５ａがドットずれして行わる。次に、その上にＣの印画１６６ａが行われる。さらに、その上に黒の印画１６７ａが行われる。このように黒の印画１６７ａがＣの印画１６６ａとまったく同じ位置になるとき、黒の印画１６７ａのドットの位置では黒は透過性がないので下のＣの印画１６６ａは見えない。しかし、黒の印画１６７ａに対してＭの印画１６５ａがドットずれしているのでＭの印画１６５ａがＭの色相１６８ａとして現れる。従って、Ｍの印画１６５ａがドットずれした場合にはＣの色相がまったく現れず、ドットずれしない場合に比べて色相の変化が現れる。
また、ドットずれしたＭの印画１６５ｂ、Ｃの印画１６６ｂ、黒の印画１６７ｂの場合も同様に、Ｍの色相１６８ｂが現れる。また、ドットずれしたＭの印画１６５ｃ、Ｃの印画１６６ｃ、黒の印画１６７ｃの場合も同様に、Ｍの色相１６８ｃが現れる。
このようにドットズレによるモアレ縞が発生した場合において、Ｍの印画、Ｃの印画および黒の印画を重ねて印画すると、色相に変化が現れる。
【００２１】
【発明が解決しようとする課題】
このようなモアレ縞を紙送り機構の機械的な精度だけで抑えるようにするのは不可能なので、例えば、特開平４−３４７６６４号公報、特開昭６３−１２０６６７号公報、特開昭６０−１８９４７２号公報、特開昭６１−２８４１７５号公報に記載されているように、印画方法を工夫することにより目立たなくするようにしていた。このモアレ縞対策として、第１は印画パルスの位相を変える方法、第２は紙送り量を半分にして半ドット分ずらしてドットを千鳥配置にする方法、第３はドットでスクリーン角を構成して、モアレ縞を相殺する方法がある。
【００２２】
しかし、第１の方法では、主走査方向のドット毎に印画パルスの位相を変えたり、印画パルスの周期を短くして偶数と奇数のドットを別々に印画したりするため、高速動作の回路が必要となり、しかも回路構成が複雑になるという不都合があった。また、第２の方法では、ドットの配置が常に千鳥状のため、ドットが直線状に並ばず、文字や図形を印画する際に、直線部分が階段状になっていしまい印画の質が低下するという不都合があった。また、第３の方法では、スクリーン角を構成するために、データを補換しなければならず、これにより画質が劣化するという不都合があった。
この発明は、このような点に鑑みてなされたものであり、ドットズレが生じても印画の品質低下を抑えるとができる熱転写型記録装置の提供を目的とする。
【００２３】
【課題を解決するための手段】
この発明の熱転写型記録装置は、記録紙を所定間隔毎に副走査方向に搬送する記録紙送り手段と、記録紙に転写される染料が添付され、記録紙と共に副走査方向に搬送されるインクリボンと、副走査方向と直交する主走査方向に複数の発熱素子が配置され、発熱素子をインクリボンに押し付けることにより、記録紙に熱転写により印画を行う記録手段と、記録手段の各発熱素子への通電を制御することにより、各色に応じて記録紙に印画されるドットの大きさを変化させて濃度階調を変化せる階調制御手段とを備え、階調制御手段による階調データを制御して、記録紙に印画される黒のドット密度を他の色のドット密度の２倍以上にするとともに黒のドットの大きさを他の色のドットの大きさの２分の１以下にし、印画データに基づいて黒と他の色の重ね印画を行うようにしたものである。
【００２４】
この発明の熱転写型記録装置によれば以下の作用をする。
記録紙上において、ＹＭＣの各色のドットに対して黒のドットを分割印画する作用について説明する。
ＹＭＣの各色のドットを通常のドット記録密度で印画し、黒のドットを通常の記録密度の２倍で印画するが、説明を簡単にするため、ＭＣの各色のドットを通常のドット記録密度で印画し、その上に黒のドットを通常の記録密度の２倍で印画する作用を説明する。この場合、ドットずれがＭＣまたは黒のどの色の印画で発生するかで２つに分けることができる。第１は、Ｃの印画がＭおよび黒の印画に対してドットズレを起こした場合である。この場合、黒の印画位置がマゼンタと同じになる。第２は、Ｍの印画がＣおよび黒の印画に対してドットズレを起こした場合である。この場合、黒の印画位置がシアンと同じになる。このときの色相の違いを以下に説明する。
【００２５】
黒の印画位置がマゼンタと同じ場合、記録紙上に、最初にＭの印画が行わる。次に、その上にＣの印画がドットずれして行われる。さらに、その上に２分割された第１の黒の印画および第２の黒の印画が行われて、１ドット目が形成される。このとき、第１の黒の印画および第２の黒の印画のドットの位置では黒は透過性がないので下のＣの印画およびＭの印画は見えない。しかし、２分割された第１の黒の印画および第２の黒の印画の間のＣは透過性があるのでＣの印画および下のＭの印画がＭ，Ｃの色相として現れる。従って、Ｃの印画がドットずれした場合でもＭＣの色相の変化はない。
Ｍの印画、Ｃの印画、第１の黒の印画および第２の黒の印画の印画が行われて、２ドット目が形成される場合も同様に、Ｍ，Ｃの色相が現れる。また、Ｍの印画、Ｃの印画、第１の黒の印画および第２の黒の印画の印画が行われて３ドット目が形成される場合も同様に、Ｍ，Ｃの色相が現れる。
【００２６】
また、黒の印画位置がシアンと同じ場合、記録紙上に、最初にＭの印画がドットずれして行わる。次に、その上にＣの印画が行われる。さらに、その上に２分割された第１の黒の印画および第２の黒の印画が行われて、１ドット目が形成される。このとき、第１の黒の印画および第２の黒の印画のドットの位置では黒は透過性がないので下のＣの印画およびＭの印画は見えない。しかし、第１の黒の印画に対してＭの印画がドットずれしているのでＭの印画がＭの色相として現れ、２分割された第１の黒の印画および第２の黒の印画の間からＣの印画がＣの色相として現れる。
Ｍの印画、Ｃの印画、第１の黒の印画および第２の黒の印画の印画が行われて、２ドット目が形成される場合も同様に、Ｍの色相およびＣの色相が現れる。また、Ｍの印画、Ｃの印画、第１の黒の印画および第２の黒の印画の印画が行われて、３ドット目が形成される場合も同様に、Ｍの色相およびＣの色相が現れる。
このように、ＹＭＣの各色のドットに対して黒のドットを分割印画することにより、色相の変化が現れないようにすることができる。
【００２７】
【発明の実施の形態】
図１に、本実施例の熱転写型記録装置の構成を示すブロック図を示す。まず、本実施例の熱転写型記録装置の構成を説明する。この熱転写型記録装置は、フレームメモリー１と、γＲＯＭ２と、ラインメモリー３と、コンパレータ４と、シスコン回路５と、アドレスカウンタ６と、階調カウンタ７と、セレクタ８と、セレクタ切り換え回路１０と、サーマルヘッド１１と、プラテン駆動回路１５と、プラテン１６とを有する。サーマルヘッド１１は、シフトレジスタ１２と、ラッチ回路１３と、発熱素子１４とを有する。
【００２８】
ここで、フレームメモリー１と、γＲＯＭ２と、ラインメモリー３と、コンパレータ４と、シスコン回路５と、アドレスカウンタ６と、階調カウンタ７と、セレクタ８と、セレクタ切り換え回路１０とで、階調制御手段を構成する。また、階調カウンタ７とセレクタ８とは分割印画階調データ生成手段９、サーマルヘッド１１は記録手段、プラテン駆動回路１５とプラテン１６とは記録紙送り手段を構成する。
【００２９】
フレームメモリー１は１画面画像データ記憶手段、γＲＯＭ２は印画濃度補正手段、ラインメモリー３は１ライン画像データ記憶手段、コンパレータ４は比較手段、シスコン回路５は制御手段、アドレスカウンタ６は階調信号発生手段を構成する。また、セレクタ切り換え回路１０は分割印画または通常印画切り換え信号生成手段を構成する。
【００３０】
次に、この熱転写型記録装置の接続関係を説明する。シスコン回路５はフレームメモリー１と接続される。フレームメモリー１はγＲＯＭ２と接続される。γＲＯＭ２はラインメモリー３と接続される。ラインメモリー３はコンパレータ４の一方の入力端子と接続される。コンパレータ４の出力端子はサーマルヘッド１１内のシフトレジスタ１２と接続される。シフトレジスタ１２はラッチ回路１３と接続される。ラッチ回路１３は発熱素子１４と接続される。アドレスカウンタ６のシフトクロック出力端子はシフトレジスタ１２と接続される。アドレスカウンタ６のラッチパルス出力端子はラッチ回路１３と接続される。
【００３１】
また、シスコン回路５はアドレスカウンタ６と接続される。アドレスカウンタ６のラッチパルス出力端子は階調カウンタ７と接続される。階調カウンタ７の出力端子Ｄ０はセレクタ８の入力端子Ａ０と接続される。階調カウンタ７の出力端子Ｄ１はセレクタ８の入力端子Ａ１と接続される。階調カウンタ７の出力端子Ｄ２はセレクタ８の入力端子Ａ２と接続される。階調カウンタ７の出力端子Ｄ３はセレクタ８の入力端子Ａ３と接続される。階調カウンタ７の出力端子Ｄ４はセレクタ８の入力端子Ａ４と接続される。階調カウンタ７の出力端子Ｄ５はセレクタ８の入力端子Ａ５と接続される。階調カウンタ７の出力端子Ｄ６はセレクタ８の入力端子Ａ６と接続される。階調カウンタ７の出力端子Ｄ７はセレクタ８の入力端子Ａ７と接続される。
【００３２】
また、階調カウンタ７の出力端子Ｄ０はセレクタ８の入力端子Ｂ１と接続される。階調カウンタ７の出力端子Ｄ１はセレクタ８の入力端子Ｂ２と接続される。階調カウンタ７の出力端子Ｄ２はセレクタ８の入力端子Ｂ３と接続される。階調カウンタ７の出力端子Ｄ３はセレクタ８の入力端子Ｂ４と接続される。階調カウンタ７の出力端子Ｄ４はセレクタ８の入力端子Ｂ５と接続される。階調カウンタ７の出力端子Ｄ５はセレクタ８の入力端子Ｂ６と接続される。階調カウンタ７の出力端子Ｄ６はセレクタ８の入力端子Ｂ７と接続される。階調カウンタ７の出力端子Ｄ７はセレクタ８の入力端子Ｂ０と接続される。セレクタ８の出力端子Ｙ０−７はコンパレータ４の他方の入力端子と接続される。
【００３３】
また、アドレスカウンタ６のアドレス出力端子はラインメモリー３と接続される。シスコン回路５の色信号出力端子はセレクタ切り換え回路１０と接続される。セレクタ切り換え回路１０はセレクタ８の選択端子ＳＥＬと接続される。シスコン回路５はプラテン駆動回路１５と接続される。プラテン駆動回路１５はプラテン１６と接続される。
【００３４】
図２は、本実施例の熱転写型記録装置の記録機構を示す斜視図である。まず、本実施例の熱転写型記録装置の記録機構の構成を説明する。この熱転写型記録装置は、プラテン１６と、サーマルヘッド１１と、インクリボン２１と、マーカ２１ａ、２１ｂ、フォトセンサ２２ａ、２２ｂを有する。プラテン１６は、周囲に記録紙２０が巻き付けられ、図１に示したプラテン駆動回路１５により軸１６ａを中心に矢印ａで示す回転方向に紙送りされるように構成される。記録紙２０は例えば上質紙からなり、その記録面側に必要に応じて１〜２［μｍ］の樹脂層が形成されている。
【００３５】
インクリボン２１は、コンデンサ紙に転写用の溶融インクが印刷されている。インクリボン２１は、この溶融インクがサーマルヘッド１１によって記録紙２０に熱転写されるように、溶融インク側の面が記録紙２０の面と対向するように配置される。インクリボン２１は、カラー画像を得ることができるように、Ｙ（イエロー）、Ｍ（マゼンタ）、Ｃ（シアン）の各色の溶融インクが塗布されたフレーム２１Ｙ，２１Ｍ，２１Ｃが繰り返し形成されるように構成されている。各フレームの終端部分の左右両端にはマーカ２１ａ、２１ｂが設けられ、フォトセンサ２２ａ、２２ｂにより位置を検出することができるようになっている。このフレーム２１Ｙ，２１Ｍ，２１Ｃのそれぞれは、１枚の画、つまり、１フレーム（または１フィールド）の映像信号区分に対応する。
サーマルヘッド１１は、１列に並べられた多数の発熱素子を有する。この場合、この１列の発熱素子は印画データの垂直方向の１列の画素に対応する。つまり、１ライン当たり１ヘッド素子が対応する。
【００３６】
次に、このように構成された本実施例の熱転写型記録装置の動作を説明する。図１において、印画データが図示しないデータ供給源からフレームメモリに供給される。フレームメモリー１は、１画面分の画像に対応する印画データを蓄える。シスコン回路５からの指令により、フレームメモリー１から印画データが１画素ずつγＲＯＭ２に供給される。γＲＯＭ２は、印画データの１画素ずつについてγ補正用テーブルに基づいて濃度の補正を行う。濃度補正された印画データは、ラインメモリー３に供給される。ラインメモリー３は、１ライン分の印画データを蓄える。ラインメモリー３に蓄えられた印画データは１画素ずつコンパレータ４の一方の入力端子に供給される。
【００３７】
また、シスコン回路５からの指令により、アドレスカウンタ６は、階調を決定すべき印画データの画素のアドレスを出力する。このアドレスはラインメモリー３に供給される。先に述べたラインメモリー３は、印画データのうちこのアドレスの画素を読み出す。このアドレスは、階調カウンタ７に供給される。階調カウンタ７は、このアドレスのとき、２５６階調の場合は「０」〜「２５５」までカウント値を出力する。セレクタ８は、ＹＭＣまたは黒の色信号に応じて生成されたセレクタ切り換え信号に基づいて、通常印画または分割印画のカウント値を選択する。選択されたカウント値はコンパレータ４の他方の入力端子に供給される。
【００３８】
また、シスコン回路５からＹＭＣまたは黒の色信号がセレクタ切り換え回路１０に供給される。セレクタ切り換え回路１０は、色信号に基づいてセレクタ切り換え信号を発生させる。色信号がＹＭＣのときセレクタ切り換え信号は通常印画を示すローレベルＬとなり、色信号が黒のときセレクタ切り換え信号は分割印画を示すハイレベルＨとなる。このセレクタ切り換え信号はセレクタ８の選択端子ＳＥＬに供給される。
【００３９】
色信号が黒で分割印画を示すハイレベルＨのセレクタ切り換え信号がセレクタ８の選択端子ＳＥＬに供給されたとき、セレクタ８は入力端子Ｂ０〜Ｂ７に供給された階調データを選択する。選択された階調データは、出力端子Ｙ０−７から出力される。ここで、階調カウンタ７の最上位ビットの出力端子Ｄ７がセレクタ８の最下位ビットの入力端子Ｂ０と接続されると共に、階調カウンタ７の最下位ビットの出力端子Ｄ０がセレクタ８の２ビットの入力端子Ｂ１と接続され、以下階調カウンタ７の２ビットの出力端子Ｄ１〜７ビットの出力端子Ｄ６がセレクタ８の３ビットの入力端子Ｂ２〜８ビットの入力端子Ｂ７と接続されている。これにより、セレクタ８は、階調カウンタ７から出力される奇数番目の階調カウント値と偶数番目の階調カウント値とを分割することができる。
【００４０】
コンパレータ４は、印画データと選択されたカウント値とを比較して、カウント値よりも印画データが大きいときにハイレベル、小さいときにローレベルのデータを出力する。このデータはサーマルヘッド１１のシフトレジスタ１２に供給される。シフトレジスタ１２は、アドレスカウンタ６から供給されるシフトクロックに基づいて１ライン分のデータを保持する。１ライン分のデータが蓄積されると、このデータがラッチ回路１３に供給される。ラッチ回路１３は、アドレスカウンタ６から供給されるラッチパルスに基づいて１ライン分のデータをラッチする。ラッチ回路１３でラッチパルスに基づいてラッチされた１ライン分のデータは発熱素子１４に供給される。このようにして、ハイレベルの画素に対しては、サーマルヘッド１１の発熱素子１４に通電され、ローレベルの画素に対しては非通電となり、１ライン分の印画が行われる。
また、シスコン回路５からの指令により、プラテン駆動回路１５はプラテン１６をステップ駆動させる。このステップ間隔は、サーマルヘッド１１で印画が行われる１ラインの間隔に対応する。
【００４１】
このような、印画の動作を、記録機構を示す図２を用いて説明する。インクリボン２１が記録紙２０と共にＤＣ的に送られる。印画と同時に、１ライン印画中に１ライン分送られるスピードで紙送りされる。まず、リボン２１の黄色のフレーム２１Ｙが記録紙２０に密着すると、印画データの垂直方向の１列の画素から黄色に対応した信号が取り出される。この信号がパルス幅変調信号に変換されてサーマルヘッド１１に供給される。ここで、信号のレベルが大きければパルス幅は大とされて、黄色の染料の転写濃度が濃くなるように印画される。
【００４２】
そして、印画データの垂直方向の１列分に相当する画素列に対する黄色の転写が終了すると、プラテン１６が１ステップ駆動し、水平方向の隣の垂直方向に１列の次の画素列における黄色成分の転写が行われる。これが１画面分、つまり、１フレーム期間分なされて、１枚の画の黄色成分についての転写が行われる。マゼンタのフレーム２１Ｍおよびシアンのフレーム２１Ｃについても同様の動作が行われる。黄色の転写画像の上にマゼンタの転写画像が、さらにその上にシアンの転写画像が、重ねられる。これら３色の転写画像の重ね合わせにより原画に応じたカラー画像が記録紙２０上に転写される。
【００４３】
次に、記録紙上における分割印画の動作について説明する。
この例では、ＹＭＣの各色のドットを通常のドット記録密度で印画し、黒のドットを通常の記録密度の２倍で印画するが、説明を簡単にするため、ＭＣの各色のドットを通常のドット記録密度で印画し、その上に黒のドットを通常の記録密度の２倍で印画する例を説明する。この場合、ドットずれがＭＣまたは黒のどの色の印画で発生するかで２つに分けることができる。第１は、Ｃの印画がＭおよび黒の印画に対してドットズレを起こした場合である。この場合、黒の印画位置がマゼンタと同じになる。第２は、Ｍの印画がＣおよび黒の印画に対してドットズレを起こした場合である。この場合、黒の印画位置がシアンと同じになる。このときの色相の違いを以下に説明する。図３は分割印画の動作による色相の違いを示す側面図であり、図３Ａは黒の印画位置がマゼンタと同じ場合、図３Ｂは黒の印画位置がシアンと同じ場合である。
【００４４】
図３Ａにおいて、記録紙２２上に、最初にＭの印画３０ａが行わる。次に、その上にＣの印画３１ａがドットずれして行われる。さらに、その上に２分割された黒の印画３２ａおよび黒の印画３３ａが行われる。このとき、黒の印画３２ａおよび黒の印画３３ａのドットの位置では黒は透過性がないので下のＣの印画３１ａおよびＭの印画３０ａは見えない。しかし、２分割された黒の印画３２ａおよび黒の印画３３ａの間のＣは透過性があるのでＣの印画３１ａおよび下のＭの印画３０ａがＭ，Ｃの色相３４ａとして現れる。従って、Ｃの印画３１ａがドットずれした場合でもドットずれしない場合に対してＭＣの色相の変化はない。
Ｍの印画３０ｂ、ドットずれしたＣの印画３１ｂ、黒の印画３２ｂおよび黒の印画３３ｂの印画の場合も同様に、Ｍ，Ｃの色相３４ｂが現れる。また、Ｍの印画３０ｃ、ドットずれしたＣの印画３１ｃ、黒の印画３２ｃおよび黒の印画３３ｃの印画の場合も同様に、Ｍ，Ｃの色相３４ｃが現れる。
【００４５】
また、図３Ｂにおいて、記録紙２２上に、最初にＭの印画３０ｄがドットずれして行わる。次に、その上にＣの印画３１ｄが行われる。さらに、その上に２分割された黒の印画３２ｄおよび黒の印画３３ｄが行われる。このとき、黒の印画３２ｄおよび黒の印画３３ｄのドットの位置では黒は透過性がないので下のＣの印画３１ｄおよびＭの印画３０ｄは見えない。しかし、黒の印画３２ｄに対してＭの印画３０ｄがドットずれしているのでＭの印画３０ｄがＭの色相３４ｄとして現れ、２分割された黒の印画３２ｄおよび黒の印画３３ｄの間からＣの印画３１ｄがＣの色相３５ｄとして現れる。従って、Ｍの印画３０ｄがドットずれした場合でもドットずれしない場合に対してＭＣの色相の変化はない。
ドットずれしたＭの印画３０ｅ、Ｃの印画３１ｅ、黒の印画３２ｅおよび黒の印画３３ｅの印画の場合も同様に、Ｍの色相３４ｅおよびＣの色相３５ｅが現れる。また、ドットずれしたＭの印画３０ｆ、Ｃの印画３１ｆ、黒の印画３２ｆおよび黒の印画３３ｆの印画の場合も同様に、Ｍの色相３４ｆおよびＣの色相３５ｆが現れる。
【００４６】
上例によれば、ＹＭＣの各色のドットを通常のドット記録密度で印画し、黒のドットを通常の記録密度の２倍で印画することにより、黒のドットに対して他の色のドットのすべてが重なることがなく、他の色のドットの色相が現れるので、複数の色のドットを重ね印画した場合にも、色相の変化が現れないようにすることができる。
【００４７】
上例では、階調カウンタ７の出力端子Ｄ７をセレクタ８の入力端子Ｂ０と接続して、黒のドットの階調データを奇数データと偶数データとに分けて黒のドットを２分割する例を示したが、階調カウンタ７の出力端子Ｄ７をセレクタ８の入力端子Ｂ０と接続すると共に、階調カウンタ７の出力端子Ｄ６をセレクタ８の入力端子Ｂ１と接続することにより、黒のドットの階調データの奇数データと偶数データとをさらに２分割して黒のドットを４分割するようにしてもよい。また、さらに、階調カウンタ７の出力端子Ｄ７をセレクタ８の入力端子Ｂ０と接続し、階調カウンタ７の出力端子Ｄ６をセレクタ８の入力端子Ｂ１と接続すると共に、階調カウンタ７の出力端子Ｄ５をセレクタ８の入力端子Ｂ２と接続し、階調カウンタ７の出力端子Ｄ４をセレクタ８の入力端子Ｂ３と接続することにより、黒のドットの階調データの奇数データと偶数データとの２分割をさらに４分割して黒のドットを１６分割するようにしてもよい。また、階調に応じて分割数を変えて任意の数に分割してもよい。このようなドットの分割の手段については、本願発明の出願人の先の出願である「プリント方法」（特開昭６１−２２７４７６号公報）に記載されているものを用いれば良い。
【００４８】
次に、他の実施例を説明する。図４は他の例の熱転写型記録装置の構成を示すブロック図である。まず、この例の構成を説明する。ここでは、図４に示すものと図１に示したものと異なる点のみを説明し、同様の点は説明を省略する。図１においては、階調カウンタ７とセレクタ８とが分割印画階調データ生成手段９を構成し、アドレスカウンタ６のラッチパルス出力端子は階調カウンタ７と接続され、セレクタ８の出力端子Ｙ０−７はコンパレータ４の他方の入力端子と接続され、セレクタ切り換え回路１０はセレクタ８の選択端子ＳＥＬと接続された。
【００４９】
しかし、図４においては、階調カウンタ４０と、第１のバッファ４１と、第１のインバータ４２と、第１のセレクタ４３と、第２のバッファ４４と、第２のインバータ４５と、第２のセレクタ４６と、トグル信号発生回路４７と、第３のセレクタ４８とで主走査、副走査反転印画階調データ生成手段４９を構成する。また、接続関係は以下の通りである。アドレスカウンタ６は階調カウンタ４０と接続される。階調カウンタ４０は第１のバッファ４１および第１のインバータ４２と接続される。第１のバッファ４１および第１のインバータ４２は第１のセレクタ４３の一方の入力端子Ａおよび他方の入力端子Ｂと接続される。第１のセレクタ４３の出力端子Ｙはコンパレータ４の他方の入力端子と接続される。
【００５０】
また、アドレスカウンタ６のアドレス出力端子の最下位ビットＡ０は第２のバッファ４４および第２のインバータ４５と接続される。第２のバッファ４４および第２のインバータ４５は第２のセレクタ４６の一方の入力端子Ａおよび他方の入力端子Ｂと接続される。第２のセレクタ４６の出力端子Ｙは第１のセレクタ４３の選択端子ＳＥＬと接続される。
【００５１】
また、シスコン回路５のプリントパルス出力端子はトグル信号発生回路４７と接続される。トグル信号発生回路４７は第３のセレクタ４８の一方の入力端子Ａと接続される。第３のセレクタ４８の他方の入力端子Ｂはアースと接続される。第３のセレクタ４８の出力端子Ｙは第２のセレクタ４６の選択端子ＳＥＬと接続される。シスコン回路５の色信号出力端子は第３のセレクタ４８の選択端子ＳＥＬと接続される。
【００５２】
このように構成された他の例の熱転写型記録装置の動作を説明する。
まず、主走査方向１ドット毎の反転印画の動作について説明する。
この場合、第３のセレクタ４８は、黒の色信号に基づいて、他方の入力端子Ｂに供給されたアース電位のローレベル（「０」）である主走査反転の選択信号を選択する。主走査反転の選択信号は第２のセレクタ４６の選択端子ＳＥＬに供給される。第２のセレクタ４６は、この主走査反転の選択信号に基づいて、アドレスカウンタ６から出力されるアドレスの最下位ビットＡ０のローレベルとハイレベルの繰り返しデータ（「０１０１０１・・・」）の第２のインバータ４５による反転信号（「１０１０１０・・・」）を選択する。反転信号は第１のセレクタ４３の選択端子ＳＥＬに供給される。第１のセレクタ４３は、反転信号のハイレベルとローレベルの切り替わりに基づいて、階調カウンタ４０のカウント値の第１のバッファ４１による正転信号または第１のインバータ４２による反転信号を選択する。カウント値の正転信号または反転信号はコンパレータ４の他方の入力端子に供給される。
【００５３】
図５に、この例のコンパレータ入力正転によるドット構成を示す。図５Ａに示すように、プリントパルスの１周期分、つまり、１ラインピッチ５０が１ラインの間隔を示す。図５Ｂに示すように、正転カウント値はコンパレータ入力方向５１に順に「０」〜「２５５」まで出力されて、このカウント値がコンパレータにおいて印画データと比較される。図５Ｃに示すように、３階調の印画ドットは、１ラインの先頭部分から１ラインの３／２５５の位置まで成長する。図５Ｄに示すように、１２７階調の印画ドットは、１ラインの先頭部分から１ラインの１２７／２５５の位置まで成長する。図５Ｅに示すように、２２５階調の印画ドットは、１ラインの先頭部分から１ラインの終端部分の位置まで成長する。ドットの成長方向５２は、記録紙送り方向、つまり、副走査方向である。
【００５４】
図６に、この例のコンパレータ入力反転によるドット構成を示す。図６Ａに示すように、プリントパルスの１周期分、つまり、１ラインピッチ６０が１ラインの間隔を示す。図６Ｂに示すように、反転カウント値はコンパレータ入力方向６１に順に「２５５」〜「０」まで出力されて、このカウント値がコンパレータにおいて印画データと比較される。図６Ｃに示すように、３階調の印画ドットは、１ラインの終端部分から１ラインの３／２５５の位置まで成長する。図６Ｄに示すように、１２７階調の印画ドットは、１ラインの終端部分から１ラインの１２７／２５５の位置まで成長する。図６Ｅに示すように、２２５階調の印画ドットは、１ラインの終端部分から１ラインの先頭部分の位置まで成長する。ドットの成長方向６２は、記録紙送り方向の反対方向、つまり、副走査方向の反対方向である。
【００５５】
図７は、本実施例の主走査および副走査ドット成長方向反転の動作を示す図である。図７Ａに示すノーマル印画の場合は、各ラインピッチ７２内において、ドットの成長方向７３は、各ラインの先頭部分から、副走査方向７１、つまり、記録紙送り方向である。このドットは図１に示すサーマルヘッド１１の１列に並んだ発熱素子１４の数だけ形成される。
【００５６】
図７Ｂに示す色信号が黒のときの主走査反転印画の場合は、各ラインピッチ７２内において、正転ドット７４のドットの成長方向７３は、各ラインの先頭部分から、副走査方向７１、つまり、記録紙送り方向であり、隣合う反転ドット７５のドットの成長方向７３は、各ラインピッチ７２内において、各ラインの終端部分から、副走査方向７１と反対方向、つまり、記録紙送り方向と反対方向である。つまり、各ラインピッチ７２内において、主走査方向７０に１ドット毎に黒の正転ドット７４と反転ドット７５が千鳥配置される。各ライン毎の副走査方向７１のドットの成長方向が一致するので、黒の印画全体のドットが千鳥配置される。この例では中間階調の濃度の印画を示す。このドットは図１に示すサーマルヘッド１１の１列に並んだ発熱素子１４の数だけ形成される。また、主走査反転印画を行うことにより、中間調においては色相変化を抑えることができる。
【００５７】
次に、主走査方向１ドット毎、副走査方向１ライン毎の反転印画の動作について説明する。
この場合、図４において、シスコン回路５から１ライン毎に出力されるプリントパルスがトグル信号発生回路４７に供給される。トグル信号発生回路４７は、プリントパルスの立ち上がり毎にハイレベルとローレベルを繰り返すトグル信号（「１０１０１０・・・」）を発生させる。トグル信号は第３のセレクタ４８の一方の入力端子Ａに供給される。第３のセレクタ４８は、ＹＭＣの色信号に基づいて、一方の入力端子Ａに供給されたトグル信号である主走査、副走査反転の選択信号を選択する。主走査、副走査反転の選択信号は第２のセレクタ４６の選択端子ＳＥＬに供給される。
【００５８】
第２のセレクタ４６は、この主走査、副走査反転の選択信号に基づいて、アドレスカウンタ６から出力されるアドレスの最下位ビットＡ０のローレベルとハイレベルの繰り返しデータ（「０１０１０１・・・」）の第２のバッファ４４による正転信号（「０１０１０１・・・」）を選択する。正転信号は第１のセレクタ４３の選択端子ＳＥＬに供給される。第１のセレクタ４３は、正転信号のローレベルとハイレベルの切り替わりに基づいて、階調カウンタ４０のカウント値の第１のバッファ４１による正転信号または第１のインバータ４２による反転信号を選択する。カウント値の正転信号または反転信号はコンパレータ４の他方の入力端子に供給される。
【００５９】
図７Ｃは、この例の主走査および副走査ドット成長方向反転の動作を示す図である。色信号がＹＭＣのときの主走査、副走査反転印画の場合は、各ラインピッチ７２の正転ライン７６内において、正転ドット７８のドットの成長方向７３は、各ラインの先頭部分から、副走査方向７１、つまり、記録紙送り方向であり、隣合う反転ドット７９のドットの成長方向７３は各ラインピッチ７２の正転ライン７６内において、各ラインの終端部分から、副走査方向７１と反対方向、つまり、記録紙送り方向と反対方向である。さらに、副走査方向７１の隣合う各ラインピッチ７２の反転ライン７７内において、反転ドット７９のドットの成長方向７３は、各ラインの終端部分から、記録紙送り方向と反対方向であり、隣合う正転ドット７８のドットの成長方向７３は、各ラインピッチ７２の反転ライン７７内において、各ラインの先頭部分から、副走査方向７１、つまり、記録紙送り方向である。
【００６０】
つまり、各ラインピッチ７２内において、主走査方向７０に１ドット毎にＹＭＣの正転ドット７８と反転ドット７９が千鳥配置されると共に、副走査方向７１の隣合う正転ライン７６と反転ライン７７の各ラインピッチ７２内において、１ライン毎にＹＭＣの正転ドット７８と反転ドット７９が千鳥配置される。各ライン毎の副走査方向７１の正転ドット７８と反転ドット７９の成長方向が異なるので、隣合うラインの正転ドット７８と反転ドット７９が接合して２倍のドットとなり、印画全体で２倍のＹＭＣのドットが千鳥配置される。この例では中間階調の濃度の印画を示す。このドットは図１に示すサーマルヘッド１１の１列に並んだ発熱素子１４の数だけ形成される。また、主走査、副走査反転印画を行うことにより、副走査方向のドットが大きくなり、ドットズレの許容値が単純に千鳥にしたものに比べて２倍にすることができ、中間調においてはほとんど色相変化を抑えることができる。
【００６１】
図７Ｄに示す高濃度印画の場合は、各ラインピッチ７２内において、ドット成長方向７３に、各ラインの先頭部分から、副走査方向７１、つまり、記録紙送り方向に各ラインの終端部分までドットが成長し、隣合うドットは各ラインピッチ７２内において、各ラインの終端部分から、副走査方向７１と反対方向、つまり、記録紙送り方向と反対方向に各ラインの先頭部分までドットが成長する。さらに、副走査方向７１の隣合う各ラインピッチ７２内において、ドット成長方向７３に、各ラインの終端部分から、記録紙送り方向と反対方向にドットが成長し、隣合うドットは各ラインピッチ７２内において、各ラインの先頭部分から、副走査方向７１、つまり、記録紙送り方向にドットが成長する。
【００６２】
つまり、各ラインピッチ７２内において、主走査方向７０に１ドット毎にＹＭＣのドットが千鳥配置されると共に、副走査方向７１の隣合う各ラインピッチ７２内において、主走査方向７０に１ドット毎にＹＭＣのドットが反転されて千鳥配置される。各ライン毎の副走査方向７１のドットの成長方向が異なるので、隣合うラインのドットが接合して、印画全体のＹＭＣのドットが千鳥配置される。この例では中間階調の濃度の印画を示す。このドットは図１に示すサーマルヘッド１１の１列に並んだ発熱素子１４の数だけ形成される。文字や図形等の高濃度印画を要する場合、線がガタガタにならず、印画の品質を向上させることができる。
【００６３】
上例によれば、図７Ｃに示したＹＭＣの主走査、副走査反転印画に重ねて、図７Ｂに示した黒の主走査反転印画を行うことにより、ＹＭＣの印画の記録密度に対して黒の印画の記録密度を２倍にすることができ、これにより、ドットずれによる色相変化が現れないようにすることができる。また、図７Ｄに示すＹＭＣの主走査、副走査反転の高濃度印画に重ねて、７Ｂに示した黒の主走査反転印画を行うようにしてもよい。
また、記録ドットの解像度を落とすことなく、ドットがずれても色相変化を抑えることができる。また、中間調以下の濃度において、サーマルヘッド１６の一度に通電する発熱素子１９の数を半分にすることができ、複数の発熱素子１９が共通にドットズレを起こすコモンドロップを抑えることができるので、濃度ムラを減らすことができる。また、高階調において文字を高い品質で印画することができる。さらに、副走査方向のドットが大きくなり、ドットズレの許容値が単純に千鳥にしたものに比べて２倍にすることができる。
【００６４】
次に、他の実施例を説明する。図８は他の例の熱転写型記録装置の構成を示すブロック図である。まず、この例の構成を説明する。ここでは、図８に示すものと図１に示したものと異なる点のみを説明し、同様の点は説明を省略する。図１においては、階調カウンタ７とセレクタ８とが分割印画階調データ生成手段９を構成し、アドレスカウンタ６のラッチパルス出力端子は階調カウンタ７と接続され、セレクタ８の出力端子Ｙ０−７はコンパレータ４の他方の入力端子と接続され、セレクタ切り換え回路１０はセレクタ８の選択端子ＳＥＬと接続された。
【００６５】
しかし、図８においては、図１に示した分割印画階調データ生成手段９および図４に示した主走査、副走査反転印画階調データ生成手段４９とスイッチ８１およびスイッチ８２とで階調データ生成切り換え手段８０を構成する。ここで、分割印画階調データ生成手段９は、図１に示したように階調カウンタ７とセレクタ８とを有し、主走査、副走査反転印画階調データ生成手段４９は、図４に示したように階調カウンタ４０と、第１のバッファ４１と、第１のインバータ４２と、第１のセレクタ４３と、第２のバッファ４４と、第２のインバータ４５と、第２のセレクタ４６と、トグル信号発生回路４７と、第３のセレクタ４８とを有する。
【００６６】
また、接続関係は以下の通りである。アドレスカウンタ６のラッチパルス出力端子はスイッチ８１の可動接点８１ａに接続される。スイッチ８１の固定接点８１ｂは主走査、副走査反転印画階調データ生成手段４９に接続される。スイッチ８１の固定接点８１ｃは分割印画階調データ生成手段９に接続される。主走査、副走査反転印画階調データ生成手段４９はスイッチ８２の固定接点８２ｂに接続される。分割印画階調データ生成手段９はスイッチ８２の固定接点８２ｃに接続される。スイッチ８２の可動接点８２ａはコンパレータ４の他方の入力端子に接続される。セレクタ切り換え回路１０はスイッチ８１の可動接点８１ａおよびスイッチ８２の可動接点８２ａの制御端子にそれぞれ接続される。セレクタ切り換え回路１０は主走査、副走査反転印画階調データ生成手段４９内の第３のセレクタ４８の選択端子ＳＥＬと接続される。セレクタ切り換え回路１０は分割印画階調データ生成手段９内のセレクタ８選択端子ＳＥＬと接続される。
【００６７】
このように構成された他の例の熱転写型記録装置の動作を説明する。
まず、色信号がＹＭＣのときの主走査、副走査反転印画の動作について説明する。このとき、ＹＭＣの色信号に基づいてセレクタ切り換え信号発生回路１０はスイッチ８１の可動接点８１ａおよびスイッチ８２の可動接点８２ａの制御端子に制御信号を供給する。これにより、スイッチ８１の可動接点８１ａおよびスイッチ８２の可動接点８２ａは、それぞれスイッチ８１の固定接点８１ｂおよびスイッチ８２の固定接点８２ｂに接続される。また、ＹＭＣの色信号に基づいてセレクタ切り換え信号発生回路１０は、主走査、副走査反転印画の動作を行うように、主走査、副走査反転印画階調データ生成手段４９内の第３のセレクタ４８の選択端子ＳＥＬに選択信号を供給する。
【００６８】
図９Ａに示す色信号がＹＭＣのときの主走査、副走査反転印画の場合は、各ラインピッチ９２の正転ライン９５内において、正転ドット９３のドットの成長方向は、各ラインの先頭部分から、副走査方向９１、つまり、記録紙送り方向であり、隣合う反転ドット９４のドットの成長方向は各ラインピッチ９２の正転ライン９５内において、各ラインの終端部分から、副走査方向９１と反対方向、つまり、記録紙送り方向と反対方向である。さらに、副走査方向９１の隣合う各ラインピッチ９２の反転ライン９６内において、反転ドット９４のドットの成長方向は、各ラインの終端部分から、記録紙送り方向と反対方向であり、隣合う正転ドット７８のドットの成長方向は、各ラインピッチ７２の反転ライン９６内において、各ラインの先頭部分から、副走査方向９１、つまり、記録紙送り方向である。
【００６９】
また、色信号が黒のときの分割印画の動作について説明する。このとき、黒の色信号に基づいてセレクタ切り換え信号発生回路１０はスイッチ８１の可動接点８１ａおよびスイッチ８２の可動接点８２ａの制御端子に制御信号を供給する。これにより、スイッチ８１の可動接点８１ａおよびスイッチ８２の可動接点８２ａは、それぞれスイッチ８１の固定接点８１ｃおよびスイッチ８２の固定接点８２ｃに接続される。また、黒の色信号に基づいてセレクタ切り換え信号発生回路１０は、黒の印画の動作を行うように、分割印画階調データ生成手段９内のセレクタ８の選択端子ＳＥＬに選択信号を供給する。図９Ｂに示す色信号が黒のときの２分割印画の場合は、各ラインピッチ９２内において、最初の２分割ドット９７のドットの成長方向は、各ラインの先頭部分から、副走査方向９１、つまり、記録紙送り方向であり、次の２分割ドット９８のドットの成長方向は、各ラインの中間部分から、副走査方向９１である。
上例によれば、図９Ａに示したＹＭＣの主走査、副走査反転印画に重ねて、図９Ｂに示した黒の２分割印画を行うことにより、ＹＭＣの印画の記録密度に対して黒の印画の記録密度を４倍にすることができ、これにより、ドットずれによる色相変化が現れないようにすることができる。
【００７０】
次に、また他の実施例を説明する。図１０は他の例の熱転写型記録装置の構成を示すブロック図である。まず、この例の構成を説明する。ここでは、図１０に示すものと図１に示したものと異なる点のみを説明し、同様の点は説明を省略する。図１においては、階調カウンタ７とセレクタ８とが分割印画階調データ生成手段９を構成し、アドレスカウンタ６のラッチパルス出力端子は階調カウンタ７と接続され、セレクタ８の出力端子Ｙ０−７はコンパレータ４の他方の入力端子と接続され、セレクタ切り換え回路１０はセレクタ８の選択端子ＳＥＬと接続された。
【００７１】
しかし、図１０においては、第１のセレクタ１００と、階調カウンタ１０１と、第１のバッファ１０２と、第１のインバータ１０３と、第２のセレクタ１０４と、トグル信号発生回路１０５と、第２のバッファ１０６と、第２のインバータ１０７と、第３のセレクタ１０８と、アンド回路１０９と、ノアー回路１１０とで、印画データ有効無効切り換え手段１１１を構成する。
【００７２】
また、第１のセレクタ１００は印画データの切り換え手段、第１のバッファ１０２と第１のインバータ１０３と第２のセレクタ１０４とは色信号による主走査方向の印画データ切り換え信号発生手段を構成し、トグル信号発生回路１０５と、第２のバッファ１０６と、第２のインバータ１０７と、第３のセレクタ１０８は色信号による副走査方向の印画データ切り換え信号発生手段を構成し、セレクタ切り換え回路１０は色信号による主走査方向または副走査方向の正転または反転の切り換え信号発生手段を構成し、アンド回路１０９はＹＭＣの各色による印画データの切り換え信号発生手段を構成する。アンド回路１０９と、ノアー回路１１０とで、ＹＭＣと黒の各色による印画データの切り換え信号発生手段を構成する。
【００７３】
次に、接続関係を説明する。ラインメモリー３は第１のセレクタ４の一方の入力端子Ａと接続される。第１のセレクタ４の他方の入力端子Ｂはアースに接続される。第１のセレクタ４の出力端子Ｙはコンパレータ１８の一方の入力端子と接続される。アドレスカウンタ６は階調カウンタ１０１と接続される。階調カウンタ１０１はコンパレータ４の他方の入力端子と接続される。アドレスカウンタ６のアドレス出力端子の最下位ビットＡ０は第１のバッファ１０２および第１のインバータ１０３と接続される。第１のバッファ１０２および第１のインバータ１０３は第２のセレクタ１０４の一方の入力端子Ａおよび他方の入力端子Ｂと接続される。第２のセレクタ１０４の出力端子Ｙはアンド回路１０９の一方の入力端子と接続される。
【００７４】
また、シスコン回路５のプリントパルス出力端子はトグル信号発生回路１０５と接続される。トグル信号発生回路１０５は第２のバッファ１０６および第２のインバータ１０７と接続される。第２のバッファ１０６および第２のインバータ１０７３は第３のセレクタ１０８の一方の入力端子Ａおよび他方の入力端子Ｂと接続される。第３のセレクタ１０８の出力端子Ｙはアンド回路１０９の他方の入力端子と接続される。アンド回路１０９の出力端子はノアー回路１１０の一方の入力端子と接続される。
【００７５】
また、セレクタ切り換え回路１０は第２のセレクタ１０４の選択端子ＳＥＬと接続される。また、セレクタ切り換え回路１０は第３のセレクタ１０８の選択端子ＳＥＬと接続される。また、セレクタ切り換え回路１０はノアー回路１１０の他方の入力端子と接続される。ノアー回路１１０の出力端子は第１のセレクタ１００の選択端子ＳＥＬと接続される。また、シスコン回路５の色信号出力端子は電圧印加時間切り換え回路１１２と接続される。電圧印加時間切り換え回路１１２は発熱素子１４と接続される。
【００７６】
次に、このように構成されたこの例の熱転写型記録装置の動作を説明する。図１０において、アドレスカウンタ６から出力されるアドレスの最下位ビットＡ０のデータが第１のバッファ１０２および第１のインバータ１０３に供給される。この最下位ビットＡ０のデータは正転反転切り換え信号となる。第１のバッファ１０２は、この信号を正転のまま第２のセレクタ１０４に供給する。第１のインバータ１０３は、この信号を反転させて第２のセレクタ１０４に供給する。第２のセレクタ１０４は、色信号による主走査方向の正転または反転の印画データ切り換え信号を選択する。選択された主走査方向の正転反転印画データ切り換え信号はアンド回路１０９の一方の入力端子に供給される。
【００７７】
また、シスコン回路５からプリントパルスがトグル信号発生回路１０５に供給される。トグル信号発生回路１０５は、１ライン毎のプリントパルスに基づいてトグル信号を発生させる。このトグル信号は第２のバッファ１０６および第２のインバータ１０７に供給される。第２のバッファ１０６は、この信号を正転のまま第３のセレクタ１０８に供給する。第２のインバータ１０７は、この信号を反転させて第３のセレクタ１０８に供給する。第３のセレクタ１０８は、色信号による副走査方向の正転反転の印画データ切り換え信号を選択する。選択された副走査方向の正転反転印画データ切り換え信号はアンド回路１０９の他方の入力端子に供給される。
【００７８】
アンド回路１０９は、両信号が共にハイレベルのときにハイレベルＨの信号を出力し、他の場合はローレベルＬの、ＹＭＣの各色による印画データの切り換え信号を出力する。アンド回路１０９の出力信号はノアー回路１１０の一方の入力端子に供給される。このとき、シスコン回路５から色信号がセレクタ切り換え回路１０に供給される。セレクタ切り換え回路１０から、色信号がＹＣのときにハイレベルＨ、色信号がＭのときにローレベルＬの選択信号が第２のセレクタ１０４の選択端子ＳＥＬに供給される。セレクタ切り換え回路１０から、色信号がＹＭのときにハイレベルＨ、色信号がＣのときにローレベルＬの選択信号が第３のセレクタ１０８の選択端子ＳＥＬに供給される。
【００７９】
また、セレクタ切り換え回路１０から、色信号が黒のときにハイレベルＨ、色信号がＹＭＣのときにローレベルＬの選択信号がノアー回路１１０の他方の入力端子に供給される。ノアー回路１１０は、両信号が共にローレベルＬのときにハイレベルＨの信号を出力し、他の場合はローレベルＬの、ＹＭＣと黒の各色による印画データの切り換え信号を出力する。ノアー回路１１０のＹＭＣと黒の各色による印画データの切り換え信号は第１のセレクタ１００の選択端子ＳＥＬに供給される。第１のセレクタ１００からの印画データまたはアース電位の切り換え出力信号はコンパレータ４の一方の入力端子に供給される。
【００８０】
このとき、シスコン回路５からの色信号が電圧印加時間切り換え回路２３に供給されている。電圧印加時間切り換え回路２３は、ＹＭＣと黒の各色による電圧印加時間を切り換える。発熱素子２２は、ＹＭＣと黒の各色による発熱時間を切り換える。
【００８１】
以下に、各色のドットの印画について、図１０のブロック図及び図１１、図１２の各ドット配置図を用いて説明する。始めに、ＹＭＣのドットの印画の動作について説明する。
まず、Ｙのドットの印画について説明する。この場合、セレクタ切り換え回路１５は、Ｙの色信号に基づいて、ローレベルＬのＹＭＣ選択信号を選択する。ローレベルＬのＹＭＣ選択信号はノアー回路１１０の他方の入力端子に供給される。
【００８２】
また、セレクタ切り換え回路１０は、Ｙの色信号に基づいて、ハイレベルＨの第２のセレクタ１０４のＹＣ選択信号を選択する。ハイレベルＨのＹＣ選択信号は第２のセレクタ１０４の選択端子ＳＥＬに供給される。第２のセレクタ１０４は、この選択信号に基づいて、アドレスカウンタ６から出力されるアドレスの最下位ビットＡ０のローレベルとハイレベルの繰り返しデータ（「０１０１０１・・・」）の第１のインバータ１０３による反転信号（「１０１０１０・・・」）を選択する。この反転信号はアンド回路１０９の一方の入力端子に供給される。
【００８３】
また、セレクタ切り換え回路１０は、Ｙの色信号に基づいて、ハイレベルＨの第３のセレクタ１０８のＹＭ選択信号を選択する。ハイレベルＨのＹＭ選択信号は第３のセレクタ１０８の選択端子ＳＥＬに供給される。第３のセレクタ１０８は、この選択信号に基づいて、トグル信号発生回路１０５から供給されるトグル信号の第２のインバータ１０７による反転信号を選択する。この反転信号はアンド回路１０９の他方の入力端子に供給される。
【００８４】
アンド回路１０９は、両信号が共にハイレベルのときにハイレベルＨの信号を出力し、他の場合はローレベルＬの、ＹＭＣの各色による印画データの切り換え信号を出力する。このとき、第２のセレクタ１０４または第３のセレクタ１０８の出力信号のどちらか一方がローレベルＬであれば、アンド回路１０９は、ローレベルＬの信号を出力する。
【００８５】
ノアー回路１１０は、両信号が共にローレベルＬのときにハイレベルＨの信号を出力し、他の場合はローレベルＬの、ＹＭＣと黒の各色による印画データの切り換え信号を出力する。このとき、ノアー回路１１０は、ハイレベルＨの信号を出力する。したがって、第１のセレクタ１００は他方の入力端子Ｂに供給されたローレベルＬの信号を出力端子Ｙから出力する。第１のセレクタ１００は他方の入力端子Ｂに供給されたローレベルＬの信号は、印画データとしての「ゼロ」入力を示すので、このとき印画は行われない。
【００８６】
また、このとき、第２のセレクタ１０４または第３のセレクタ１０８の出力信号の両信号が共にハイレベルＨであれば、アンド回路１０９は、ハイレベルＨの信号を出力する。このとき、ノアー回路１１０は、ローレベルＬの信号を出力する。したがって、第１のセレクタ１００は一方の入力端子Ａに供給されたＹの印画データを出力端子Ｙから出力する。このとき、シスコン回路５からのＹの色信号が電圧印加時間切り換え回路１１２に供給されている。電圧印加時間切り換え回路１１２は、図１２に示すように、１ラインピッチ１２０を越えて４ドットを構成するＹの印画１２１が行われるように、電圧印加時間を切り換える。発熱素子１４は、高濃度の４ドットを構成するように発熱時間を切り換える。なお、図１２に示すＹの印画１２１の位置は、図１１に示したものと異なるが、これは、高濃度の４ドットを構成するＹの印画１２１が行われた場合のドットの重なり具合を示すため便宜上印画の位置をずらしたためである。
【００８７】
また、このとき、第２のセレクタ１０４の出力信号は１ビット毎にハイレベルＨとローレベルＬとを繰り返す信号であり、第３のセレクタ１０８の出力信号は１ライン毎にハイレベルＨとローレベルＬとを繰り返す信号である。したがって、図１１に示すように、１ラインピッチ１１３内で、Ｙの印画１１５ａが行われた隣のドットは、Ｙの印画は行われず、１ドット置いてＹの印画１１６ａが行われ、これを主走査方向１１４Ａに繰り返す。また、Ｙの印画１１５ａ，１１６ａが行われた隣のラインは、Ｙの印画は行われず、１ライン置いてＹの印画１１７ａ，１１８ａが行われ、これを副走査方向１１４Ｂに繰り返す。
【００８８】
次に、Ｍのドットの印画について説明する。この場合、セレクタ切り換え回路１０は、Ｍの色信号に基づいて、ローレベルＬのＹＭＣ選択信号を選択する。ローレベルＬのＹＭＣ選択信号はノアー回路１７の他方の入力端子に供給される。
また、セレクタ切り換え回路１０は、Ｍの色信号に基づいて、ローレベルＬの第２のセレクタ１０４のＭ選択信号を選択する。ローレベルＬのＭ選択信号は第２のセレクタ１０４の選択端子ＳＥＬに供給される。第２のセレクタ１０４は、この選択信号に基づいて、アドレスカウンタ６から出力されるアドレスの最下位ビットＡ０のローレベルとハイレベルの繰り返しデータ（「０１０１０１・・・」）の第１のバッファ１０２による正転信号（「０１０１０１・・・」）を選択する。この正転信号はアンド回路１０９の一方の入力端子に供給される。
【００８９】
また、セレクタ切り換え回路１０は、Ｍの色信号に基づいて、ハイレベルＨの第３のセレクタ１０８のＹＭ選択信号を選択する。ハイレベルＨのＹＭ選択信号は第３のセレクタ１０８の選択端子ＳＥＬに供給される。第３のセレクタ１０８は、この選択信号に基づいて、トグル信号発生回路１０５から供給されるトグル信号の第２のインバータ１０７による反転信号を選択する。この反転信号はアンド回路１０９の他方の入力端子に供給される。
【００９０】
アンド回路１０９は、両信号が共にハイレベルのときにハイレベルＨの信号を出力し、他の場合はローレベルＬの、ＹＭＣの各色による印画データの切り換え信号を出力する。このとき、第２のセレクタ１０４または第３のセレクタ１０８の出力信号のどちらか一方がローレベルＬであれば、アンド回路１０９は、ローレベルＬの信号を出力する。
【００９１】
ノアー回路１１０は、両信号が共にローレベルＬのときにハイレベルＨの信号を出力し、他の場合はローレベルＬの、ＹＭＣと黒の各色による印画データの切り換え信号を出力する。このとき、ノアー回路１１０は、ハイレベルＨの信号を出力する。したがって、第１のセレクタ１００は他方の入力端子Ｂに供給されたローレベルＬの信号を出力端子Ｙから出力する。第１のセレクタ１００は他方の入力端子Ｂに供給されたローレベルＬの信号は、印画データとしての「ゼロ」入力を示すので、このとき印画は行われない。
【００９２】
また、このとき、第２のセレクタ１０４または第３のセレクタ１０８の出力信号の両信号が共にハイレベルＨであれば、アンド回路１０９は、ハイレベルＨの信号を出力する。このとき、ノアー回路１１０は、ローレベルＬの信号を出力する。したがって、第１のセレクタ１００は一方の入力端子Ａに供給されたＭの印画データを出力端子Ｙから出力する。このとき、シスコン回路５からのＭの色信号が電圧印加時間切り換え回路１１２に供給されている。電圧印加時間切り換え回路１１２は、図１２にＹの印画を示したと同様に、１ラインピッチ１２０を越えて４ドットを構成するＭの印画を行うように電圧印加時間を切り換える。発熱素子１４は、高濃度の４ドットを構成するように発熱時間を切り換える。
【００９３】
また、このとき、第２のセレクタ１０４の出力信号はＹの印画の場合の信号を反転した１ビット毎にローレベルＬとハイレベルＨとを繰り返す信号であり、第３のセレクタ１０８の出力信号はＹの印画の場合の信号と同じ１ライン毎にハイレベルＨとローレベルＬとを繰り返す信号である。したがって、図１１に示すように、１ラインピッチ１１３内において、Ｙの印画１１５ａが行われた隣のドットにＭの印画１１５ｂが行われ、Ｙの印画１１５ａ，１１６ａとＭの印画１１５ｂ，１１６ｂが交互に行われ、これを主走査方向１１４Ａに繰り返す。また、Ｙの印画１１５ａ，１１６ａが行われた同じラインにＭの印画１１５ｂ，１１６ｂが行われ、隣のラインにはＭの印画は行われず、１ライン置いてＭの印画１１７ｂ，１１８ｂが行われ、これを副走査方向１１４Ｂに繰り返す。
【００９４】
次に、Ｃのドットの印画について説明する。この場合、セレクタ切り換え回路１０は、Ｃの色信号に基づいて、ローレベルＬのＹＭＣ選択信号を選択する。ローレベルＬのＹＭＣ選択信号はノアー回路１１０の他方の入力端子に供給される。
また、セレクタ切り換え回路１０は、Ｃの色信号に基づいて、ハイレベルＨの第２のセレクタ１０４のＣ選択信号を選択する。ハイレベルＨのＣ選択信号は第２のセレクタ１０４の選択端子ＳＥＬに供給される。第２のセレクタ１０４は、この選択信号に基づいて、アドレスカウンタ６から出力されるアドレスの最下位ビットＡ０のローレベルとハイレベルの繰り返しデータ（「０１０１０１・・・」）の第１のインバータ１０３による反転信号（「１０１０１０・・・」）を選択する。この反転信号はアンド回路１０９の一方の入力端子に供給される。
【００９５】
また、セレクタ切り換え回路１０は、Ｃの色信号に基づいて、ローレベルＬの第３のセレクタ１０８のＣ選択信号を選択する。ローレベルＬのＣ選択信号は第３のセレクタ１０８の選択端子ＳＥＬに供給される。第３のセレクタ１０８は、この選択信号に基づいて、トグル信号発生回路１０５から供給されるトグル信号の第２のバッファ１０６による正転信号を選択する。この正転信号はアンド回路１０９の他方の入力端子に供給される。
【００９６】
アンド回路１０９は、両信号が共にハイレベルのときにハイレベルＨの信号を出力し、他の場合はローレベルＬの、ＹＭＣの各色による印画データの切り換え信号を出力する。このとき、第２のセレクタ１０４または第３のセレクタ１０８の出力信号のどちらか一方がローレベルＬであれば、アンド回路１０９は、ローレベルＬの信号を出力する。
【００９７】
ノアー回路１１０は、両信号が共にローレベルＬのときにハイレベルＨの信号を出力し、他の場合はローレベルＬの、ＹＭＣと黒の各色による印画データの切り換え信号を出力する。このとき、ノアー回路１１０は、ハイレベルＨの信号を出力する。したがって、第１のセレクタ１００は他方の入力端子Ｂに供給されたローレベルＬの信号を出力端子Ｙから出力する。第１のセレクタ１００は他方の入力端子Ｂに供給されたローレベルＬの信号は、印画データとしての「ゼロ」入力を示すので、このとき印画は行われない。
【００９８】
また、このとき、第２のセレクタ１０４または第３のセレクタ１０８の出力信号の両信号が共にハイレベルＨであれば、アンド回路１０９は、ハイレベルＨの信号を出力する。このとき、ノアー回路１１０は、ローレベルＬの信号を出力する。したがって、第１のセレクタ１００は一方の入力端子Ａに供給されたＣの印画データを出力端子Ｙから出力する。このとき、シスコン回路５からのＣの色信号が電圧印加時間切り換え回路１１２に供給されている。電圧印加時間切り換え回路１１２は、図１２にＹの印画を示したと同様に、１ラインピッチ１２０を越えて４ドットを構成するＣの印画を行うように電圧印加時間を切り換える。発熱素子１４は、高濃度の４ドットを構成するように発熱時間を切り換える。
【００９９】
また、このとき、第２のセレクタ１０４の出力信号はＹの印画の場合の信号と同じ１ビット毎にハイレベルＨとローレベルＬとを繰り返す信号であり、第３のセレクタ１０８の出力信号はＹの印画の場合の信号と反転した１ライン毎にローレベルＬとハイレベルＨとを繰り返す信号である。したがって、図１１に示すように、１ラインピッチ１１３内において、Ｙの印画１１５ａが行われた同じ主走査方向１１４Ａのドットの位置にＣの印画１１５ｃが行われ、隣のドットには何も印画が行われず、一ドット置いてＣの印画１１６ｃが行われ、これを主走査方向１１４Ａに繰り返す。また、Ｙの印画１１７ａが行われた隣のラインにＣの印画１１７ｃ，１１８ｃが行われ、一ライン毎にＹの印画１１５ａ，１１６ａ，３１１７，１１８ａとＣの印画１１５ｃ，１１６ｃ，１１７ｃ，１１８ｃとが交互に行われ、これを副走査方向１１４Ｂに繰り返す。
【０１００】
次に、黒のドットの印画の動作について説明する。
この場合、セレクタ切り換え回路１０は、色信号に基づいて、ハイレベルＨの黒選択信号を選択する。ハイレベルＨの黒選択信号はノアー回路１１０の他方の入力端子に供給される。ノアー回路１１０は、両入力信号がローレベルＬのときにだけハイレベルＨの出力信号を出力し、他の場合はすべてローレベルＬの出力信号を出力するので、セレクタ切り換え回路１０からハイレベルＨの黒選択信号が供給されているときは、アンド回路１０９から供給される一方の入力信号にかかわらず、常にローレベルＬの出力信号を出力する。
【０１０１】
したがって、第１のセレクタ１００は一方の入力端子Ａに供給された黒の印画データを出力端子Ｙから出力する。このとき、シスコン回路５からの黒の色信号が電圧印加時間切り換え回路１１２に供給されている。電圧印加時間切り換え回路１１２は、図１２に示すように、通常の１ドットを構成する黒の印画１２２を行うように電圧印加時間を切り換える。発熱素子１４は、通常の１ドットを構成するように発熱時間を切り換える。
【０１０２】
このように、第２のセレクタ１０４の出力信号および第３のセレクタ１０８の出力信号にかかわらず、各ビット毎及び各ライン毎に黒の印画が行われる。
なお、図１１において、ＹＭＣの各色のドットと黒のドットとの位置がずれているが、これは、説明上ずらしたものであり、いずれも各ドットの位置の中心の位置に印画される。
【０１０３】
このようにして、図１０に示したコンパレータ４に印画データを供給する際に、ラインメモリー３から供給される印画データと、アース電位である「ゼロ」入力とを、第１のセレクタ１００において切り換えることにより、ＹＭＣの各色の印画位置以外は「ゼロ」入力として印画を行った。これにより、ＹＭＣの３色は、２×２の４ドットを１単位として、各色毎に予め定められた１ドットの位置に印画されるように各ドットを配置した。
【０１０４】
このとき、ＹＭＣの各色の印画を行う際に、サーマルヘッド１１の発熱素子１４への電圧印加時間を通常よりも長くして印字エネルギーを上げるようにし、最大ドット径を４ドット分とした。このようにすることにより、ドット間のすき間を無くして、濃度を上げることができる。また、黒の印画の場合には、最大ドット径を１ドットとして、１単位の各４ドットのすべてに印画する。このようにすることにより、色回りが抑えられて、階調性が良い、高解像度の画像を得ることができる。
上例によれば、図１２に示した印画エネルギーを上げたＹＭＣの印画に重ねて、通常印画エネルギーの黒の印画を行うことにより、ＹＭＣの印画の記録密度に対して黒の印画の記録密度を４倍にすることができ、これにより、ドットずれによる色相変化が現れないようにすることができる。
【０１０５】
【発明の効果】
この発明の熱転写型記録装置は、記録紙を所定間隔毎に副走査方向に搬送する記録紙送り手段と、記録紙に転写される染料が添付され、記録紙と共に副走査方向に搬送されるインクリボンと、副走査方向と直交する主走査方向に複数の発熱素子が配置され、発熱素子をインクリボンに押し付けることにより、記録紙に熱転写により印画を行う記録手段と、記録手段の各発熱素子への通電を制御することにより、各色に応じて記録紙に印画されるドットの大きさを変化させて濃度階調を変化せる階調制御手段とを備え、階調制御手段による階調データを制御して、記録紙に印画される黒のドット密度を他の色のドット密度の２倍以上にするとともに黒のドットの大きさを他の色のドットの大きさの２分の１以下にし、印画データに基づいて黒と他の色の重ね印画を行うようにしたので、黒のドットに対して他の色のドットのすべてが重なることがなく、他の色の色相が現れるので、色相の変化を抑えることができ、モアレ縞も現れず、これにより、各色の重ね印画において印画の品質を向上させることができる。
【０１０６】
また、この発明の熱転写型記録装置は、上述において、階調制御手段により黒のドットの階調データを分割制御して、記録紙に印画される黒のドット密度を他の色のドット密度の２倍以上にするようにしたので、階調データの奇数データと偶数データとを分けることにより黒のドットを他の色のドットに対して２分割以上に分割して、相対的に黒のドット密度を他の色のドット密度の２倍以上にすることができ、黒のドットに対して他の色のドットのすべてが重なることがなく、他の色の色相が現れるので、色相の変化を抑えることができ、モアレ縞も現れず、これにより、各色の重ね印画において印画の品質を向上させることができる。
【０１０７】
また、この発明の熱転写型記録装置は、上述において、階調制御手段により、黒のドットの濃度階調の変化する方向を主走査方向の１ドット毎に反転させると共に、他の色のドットの濃度階調の変化する方向を主走査方向の１ドット毎に反転させ、かつ、副走査方向の１ライン毎に反転させるようにして、記録紙に印画される黒のドット密度を他の色のドット密度の２倍以上にするようにしたので、黒のドットと他の色のドットとでドットの成長方向を変えることにより、相対的に黒のドット密度を他の色のドット密度の２倍以上にすることができ、黒のドットに対して他の色のドットのすべてが重なることがなく、他の色の色相が現れるので、色相の変化を抑えることができ、モアレ縞も現れず、これにより、各色の重ね印画において印画の品質を向上させることができる。
【０１０８】
また、この発明の熱転写型記録装置は、上述において、階調制御手段により黒のドットの階調データを分割制御すると共に、他の色のドットの濃度階調の変化する方向を主走査方向の１ドット毎に反転させ、かつ、副走査方向の１ライン毎に反転させるようにして、記録紙に印画される黒のドット密度を他の色のドット密度の２倍以上にするようにしたので、階調データの奇数データと偶数データとを分けることにより黒のドットを他の色のドットに対して２分割以上に分割して、黒のドットと他の色のドットとでドットの成長方向を変えることにより、相対的に黒のドット密度を他の色のドット密度の２倍以上にすることができ、黒のドットに対して他の色のドットのすべてが重なることがなく、他の色の色相が現れるので、色相の変化を抑えることができ、モアレ縞も現れず、これにより、各色の重ね印画において印画の品質を向上させることができる。
【０１０９】
また、この発明の熱転写型記録装置は、上述において、階調制御手段により、主走査方向２ドットと副走査方向２ドットからなる４ドットを１単位として、４ドットのうちの各色の印画位置以外は印画データを出力しないようにし、４ドットのうちの各ドットにそれぞれ異なる色のドットを配置するように印画データを出力し、印画データの複数の各色に応じて最大ドット径を１ラインピッチ以上とするように記録手段の上記発熱素子の通電時間を切り換えることにより、記録紙に印画される黒のドット密度を他の色のドット密度の２倍以上にするようにしたので、黒のドットの印画エネルギーに対して他の色のドットの印画エネルギーを２倍以上にして、相対的に黒のドット密度を他の色のドット密度の２倍以上にすることができ、黒のドットに対して他の色のドットのすべてが重なることがなく、他の色の色相が現れるので、色相の変化を抑えることができ、モアレ縞も現れず、これにより、各色の重ね印画において印画の品質を向上させることができる。
【図面の簡単な説明】
【図１】この発明の一実施例の熱転写型記録装置の構成を示すブロック図である。
【図２】この発明の一実施例の熱転写型記録装置の記録機構を示す斜視図である。
【図３】この発明の一実施例の熱転写型記録装置の動作の色相の違いを示す側面図であり、図３Ａは黒の印画位置がマゼンタと同じ場合、図３Ｂは黒の印画位置がシアンと同じ場合である。
【図４】この発明の他の実施例の熱転写型記録装置の構成を示すブロック図である。
【図５】この発明の他の実施例のコンパレータ入力正転によるドット構成を示す図であり、図５Ａはプリントパルス、図５Ｂは正転カウント値、図５Ｃは印画ドット（３階調）、図５Ｄは印画ドット（１２７階調）、図５Ｅは印画ドット（２５５階調）である。
【図６】この発明の他の実施例のコンパレータ入力反転によるドット構成を示す図であり、図６Ａはプリントパルス、図６Ｂは反転カウント値、図６Ｃは印画ドット（３階調）、図６Ｄは印画ドット（１２７階調）、図６Ｅは印画ドット（２５５階調）である。
【図７】この発明の他の実施例の主走査および副走査ドット成長方向反転の動作を示す図であり、図７Ａはノーマル印画、図７Ｂは主走査反転印画、図７Ｃは主走査、副走査反転印画、図７Ｄは高濃度印画である。
【図８】この発明の他の実施例の熱転写型記録装置の構成を示すブロック図である。
【図９】この発明の他の実施例の熱転写型記録装置の動作を示す図であり、図９Ａは主走査、副走査反転印画、図９Ｂは２分割印画である。
【図１０】この発明の他の実施例の熱転写型記録装置の構成を示すブロック図である。
【図１１】この発明の他の実施例の熱転写型記録装置の動作を示す高階調印画のドット配置図である。
【図１２】この発明の他の実施例の熱転写型記録装置の印画エネルギーを上げる動作を示す図である。
【図１３】従来の熱転写型記録装置の記録機構を示す側面図である。
【図１４】従来の熱転写型記録装置の構成を示すブロック図である。
【図１５】従来の熱転写型記録装置のドットずれを示す側面図である。
【図１６】従来の熱転写型記録装置のドットずれによる色相の変化を示す側面図であり、図１６Ａは黒の印画位置がマゼンタと同じ場合、図１６Ｂは黒の印画位置がシアンと同じ場合である。
【符号の説明】
１  フレームメモリー
２  γＲＯＭ
３  ラインメモリー
４  コンパレータ
５  シスコン回路
６  アドレスカウンタ
７  階調カウンタ
８  セレクタ
９  分割印画階調データ生成手段
１０  セレクタ切り換え回路
１１  サーマルヘッド
１２  シフトレジスタ
１３  ラッチ回路
１４  発熱素子
１５  プラテン駆動回路
１６  プラテン
２０  記録紙
２１  インクリボン
２１Ｃ  フレーム
２１Ｙ  フレーム
２１Ｍ  フレーム
２１ａ  マーカ
２１ｂ  マーカ
２２ａ  フォトセンサ
２２ｂ  フォトセンサ
３０ａ  Ｍの印画
３１ａ  Ｃの印画
３２ａ  黒の印画
３３ａ  黒の印画
３４ａ  Ｍ，Ｃの色相
３０ｂ  Ｍの印画
３１ｂ  Ｃの印画
３２ｂ  黒の印画
３３ｂ  黒の印画
３４ｂ  Ｍ，Ｃの色相
３０ｃ  Ｍの印画
３１ｃ  Ｃの印画
３２ｃ  黒の印画
３３ｃ  黒の印画
３４ｃ  Ｍ，Ｃの色相
３０ｄ  Ｍの印画
３１ｄ  Ｃの印画
３２ｄ  黒の印画
３３ｄ  黒の印画
３４ｄ  Ｍの色相
３５ｄ  Ｃの色相
３０ｅ  Ｍの印画
３１ｅ  Ｃの印画
３２ｅ  黒の印画
３３ｅ  黒の印画
３４ｅ  Ｍの色相
３５ｅ  Ｃの色相
３０ｆ  Ｍの印画
３１ｆ  Ｃの印画
３２ｆ  黒の印画
３３ｆ  黒の印画
３４ｆ  Ｍの色相
３５ｆ  Ｃの色相
４０  階調カウンタ
４１  第１のバッファ
４２  第１のインバータ
４３  第１のセレクタ
４４  第２のバッファ
４５  第２のインバータ
４６  第２のセレクタ
４７  トグル信号発生回路
４８  第３のセレクタ
４９  主走査、副走査反転印画階調データ生成手段
５０  １ラインピッチ
５１  コンパレータ入力方向
５２  ドットの成長方向
６０  １ラインピッチ
６１  コンパレータ入力方向
６２  ドットの成長方向
７０  主走査方向
７１  副走査方向
７２  １ラインピッチ
７３  ドットの成長方向
７４  正転ドット
７５  反転ドット
７６  正転ライン
７７  反転ライン
７８  正転ドット
７９  反転ドット
８０  階調データ生成切り換え手段
８１  スイッチ
８２  スイッチ
９０  主走査方向
９１  副走査方向
９２  １ラインピッチ
９３  正転ドット
９４  反転ドット
９５  正転ライン
９６  反転ライン
９７  ２分割ドット
１００  第１のセレクタ
１０１  階調カウンタ
１０２  第１のバッファ
１０３  第１のインバータ
１０４  第２のセレクタ
１０５  トグル信号発生回路
１０６  第２のバッファ
１０７  第２のインバータ
１０８  第３のセレクタ
１０９  アンド回路
１１０  ノアー回路
１１１  印画データ有効無効切り換え手段
１１２  電圧印加時間切り換え回路
１１３  １ラインピッチ
１１４Ａ  主走査方向
１１４Ｂ  副走査方向
１１５ａ  Ｙの印画
１１６ａ  Ｙの印画
１１７ａ  Ｙの印画
１１８ａ  Ｙの印画
１１５ｂ  Ｍの印画
１１６ｂ  Ｍの印画
１１７ｂ  Ｍの印画
１１８ｂ  Ｍの印画
１１５ｃ  Ｃの印画
１１６ｃ  Ｃの印画
１１７ｃ  Ｃの印画
１１８ｃ  Ｃの印画
１１９  黒の印画
１２０  １ラインピッチ
１２１  Ｙの印画
１２２  黒の印画
【図１】
0003627318.tif 000002
【図２】
0003627318.tif 000003
【図３】
0003627318.tif 000004
【図４】
0003627318.tif 000005
【図５】
0003627318.tif 000006
【図６】
0003627318.tif 000007
【図７】
0003627318.tif 000008
【図８】
0003627318.tif 000009
【図９】
0003627318.tif 000010
【図１０】
0003627318.tif 000011
【図１１】
0003627318.tif 000012
【図１２】
0003627318.tif 000013
【図１３】
0003627318.tif 000014
【図１４】
0003627318.tif 000015
【図１５】
0003627318.tif 000016
【図１６】
0003627318.tif 000017